(57)【要約】【課題】本発明は、表示面に対するユーザの所在する所在位置に応じて表示状態を調整できる表示装置および該方法ならびに表示システムを提供する。【解決手段】本発明の表示装置ＤＰは、表示面に表示を行う表示部１２と、前記表示面に対するユーザの所在位置を検出するセンサ部１１と、前記表示面に対する複数の測色位置それぞれから前記表示面を２次元で測色した複数の測色結果に前記複数の測色位置それぞれを対応付けた測色情報を記憶する測色情報記憶部１５１と、センサ部１１で検出した所在位置と測色情報記憶部１５１に記憶された前記測色情報とに基づいて、前記ユーザの所在位置から前記表示面を見た場合に予め設定された目標の見え方となるように、表示部１２の表示状態を調整する表示調整部１４２とを備える。【選択図】図２
2017054069.tif 000002
【特許請求の範囲】
【請求項１】
表示面に表示を行う表示部と、
前記表示面に対するユーザの所在位置を検出するセンサ部と、
前記表示面に対する複数の測色位置それぞれから前記表示面を２次元で測色した複数の測色結果に前記複数の測色位置それぞれを対応付けた測色情報を記憶する測色情報記憶部と、
前記センサ部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えること
を特徴とする表示装置。
【請求項２】
前記表示調整部は、前記センサ部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整すること
を特徴とする請求項１に記載の表示装置。
【請求項３】
前記測色情報は、前記複数の測色位置それぞれにおいて、前記表示面の全面に白色、原色および中間色それぞれを表示させて測色された測色結果を含むこと
を特徴とする請求項１または請求項２に記載の表示装置。
【請求項４】
温度を測定する温度センサ部をさらに備え、
前記測色情報は、互いに異なる複数の温度で前記表示面を２次元で測色した複数の測色結果を前記複数の温度それぞれにさらに対応付けられており、
前記表示調整部は、前記センサ部で検出した所在位置と前記温度センサ部で測定した温度と前記測色情報記憶部に記憶された前記測色情報とに基づいて、前記ユーザの前記所在位置から前記表示面を見た場合に予め設定された目標の見え方となるように、前記表示部の表示状態を調整すること
を特徴とする請求項１ないし請求項３のいずれか１項に記載の表示装置。
【請求項５】
表示部の表示面に対する複数の測色位置それぞれから前記表示面を２次元で測色した複数の測色結果に前記複数の測色位置それぞれを対応付けた測色情報を測色情報記憶部に記憶する測色情報記憶工程と、
前記表示面に対するユーザの所在位置を検出する検出工程と、
前記検出工程で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整工程とを備えること
を特徴とする表示方法。
【請求項６】
測定対象を２次元で測色する２次元測色計と、請求項１ないし請求項４のいずれか１項に記載の表示装置とを備える表示システムであって、
前記２次元測色計は、測定結果を外部の機器へ出力する測色側インターフェース部を備え、
前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えること
を特徴とする表示システム。
【請求項７】
前記２次元測色計は、前記表示装置の表示面に対する自機の位置を前記測色位置として測定し、前記測定した前記自機の位置を対応付けて前記測定結果を前記測色側インターフェース部から出力する測色位置測定出力部をさらに備えること
を特徴とする請求項６に記載の表示システム。
【請求項８】
前記表示部は、前記表示面を囲む枠をさらに備え、
前記測色結果を得るために前記表示面に表示される色は、前記枠における前記表示部の表示面側の表面と異なる色であること
を特徴とする請求項７に記載の表示システム。
【請求項９】
前記表示装置は、前記２次元測色計の位置を前記測色位置として測定し、前記測色結果を得るために前記表示面に所定の色を表示する際に、前記測定した前記２次元測色計の位置を表示する測色位置測定表示部をさらに備え、
前記２次元測色計は、前記表示面に表示された前記２次元測色計の位置を前記測色位置として取得し、前記取得した前記２次元測色計の位置を対応付けて前記測定結果を前記測色側インターフェース部から出力する測色位置取得出力部をさらに備えること
を特徴とする請求項６に記載の表示システム。
【請求項１０】
前記２次元測色計は、前記表示装置の表示面に対する自機の位置が入力され、前記入力された前記自機の位置を対応付けて前記測定結果を前記測色側インターフェース部から出力する測色位置入力出力部をさらに備えること
を特徴とする請求項６に記載の表示システム。
【請求項１１】
前記２次元測色計は、前記表示面に対する互いに異なる複数の位置に配置された複数であること
を特徴とする請求項６ないし請求項１０のいずれか１項に記載の表示システム。
【発明の詳細な説明】
【技術分野】
【０００１】
本発明は、表示装置および表示方法ならびに表示システムに関し、特に、ユーザの所在する表示面に対する所在位置に応じて表示状態（表示出力）を調整できる表示装置および表示方法ならびに表示システムに関する。
【背景技術】
【０００２】
従来、様々な表示装置が研究、開発され、提案されている。例えば、特許文献１に開示された表示装置は、ユーザの存在を検知するセンサを搭載した表示装置であって、前記センサの検出結果をもとに前記ユーザの位置を算出し、前記ユーザの位置に応じて出力態様を変更するセンサ処理部を備える。より具体的には、センサ処理部は、ユーザの位置に応じて、画面表示される文字情報の制御、映像調整、音声調整、タッチパネルでの操作アイコン表示調整を行う。より詳しくは、前記映像調整として、ユーザがテレビの近くにいると判断した場合、センサ処理部は、輝度を低くし、逆に、ユーザがテレビから遠い位置にいると判断した場合、センサ処理部は、輝度を高くする（特許文献１の例えば［００２４］段落等）。
【０００３】
また例えば、特許文献２に開示された表示装置は、映像を表示する表示部を備えた表示装置であって、自装置を利用しているユーザの位置または姿勢に基づいて、所定の位置条件または姿勢条件を満たすユーザを検出するユーザ検出手段と、上記映像の画質を調整するための設定値を、ユーザ毎に関連付けた対応情報を予め記憶する記録部の上記対応情報から、上記ユーザ検出手段が検出したユーザに対応する上記設定値を取得し、取得した設定値で上記映像の画質を調整し、上記表示部に表示する画質調整手段とを備える。より具体的には、特許文献２に開示された表示装置は、ユーザ検出手段によって検出されたユーザの好みの画質調整値として記憶部に登録された画質調整値に基づいて調整された映像を表示する（特許文献１の例えば［００６５］段落および［００９４］段落等）。
【先行技術文献】
【特許文献】
【０００４】
【特許文献１】特開２０１１−２４７９８３号公報
【特許文献２】特開２０１１−２２１５２４号公報
【発明の概要】
【発明が解決しようとする課題】
【０００５】
ところで、表示装置には、表示面の中央位置を通る表示面の法線方向を基準とした、ユーザの表示面を見る角度によって見え方が異なることがある。特に、液晶表示装置では、前記見え方は、前記角度に依存し、前記法線上から前記表示面における前記法線を含む小領域を見た見え方を正常な見え方と定義し、前記正常な見え方と同等に見える前記角度の範囲が視野角として規定されている。このため、ユーザが所在する表示面に対する位置（所在位置）によっては、前記ユーザは、前記視野角を外れた前記角度から前記表示面を見ることとなり、このような状況では、前記正常な見え方と異なった見え方となってしまい、表示状態（表示出力）の調整が望まれる。言い換えれば、より広い視野角が望まれる。特に、近年では、表示面の大きさが大型化しているため、このような状況に成り易く、前記表示状態（表示出力）の調整が一層望まれる。また、表示面の大きさが大型化すると、ユーザの所在位置が表示面の中央位置を通る表示面の法線上にあっても、すなわち、ユーザが前記法線方向から表示面を見ていても、表示面の周辺部分では、ユーザは、大きな角度で前記周辺部分を見込むこととなるため、前記正常な見え方と異なった見え方となってしまい、やはり、前記表示状態（表示出力）の調整が望まれる。
【０００６】
前記特許文献１に開示された表示装置は、テレビとユーザとの距離に応じて輝度を表示面全体で一律に調整しているだけであるので、前記状況での見え方を改善することは難しい。前記特許文献２に開示された表示装置は、ユーザの好みに合わせて映像を調整するものであり、視野角を改善するものではなく、したがって、前記状況での見え方を改善することはできない。
【０００７】
本発明は、上述の事情に鑑みて為された発明であり、その目的は、表示面に対するユーザの所在する所在位置に応じて表示状態（表示出力）を調整できる表示装置および表示方法ならびに表示システムを提供することである。
【課題を解決するための手段】
【０００８】
本発明者は、種々検討した結果、上記目的は、以下の本発明により達成されることを見出した。すなわち、本発明の一態様にかかる表示装置は、表示面に表示を行う表示部と、前記表示面に対するユーザの所在位置を検出するセンサ部と、前記表示面に対する複数の測色位置それぞれから前記表示面を２次元で測色した複数の測色結果に前記複数の測色位置それぞれを対応付けた測色情報を記憶する測色情報記憶部と、前記センサ部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えることを特徴とする。好ましくは、上述の表示装置において、前記表示状態（表示出力）は、輝度および色度のうちの少なくとも一方である。上述の表示装置において、前記目標の見え方は、予め定義された所定の見え方であって良く、好ましくは、前記目標の見え方は、表示面の中央位置を通る表示面の法線上から前記表示面の前記中央位置を見た場合における見え方（正常な見え方）であって良く、好ましくは、前記目標の見え方は、表示面における、ユーザの所在位置を通る表示面の法線を含む所定広さの領域を前記法線上から見た場合における見え方（ユーザの所在位置での見え方）であって良い。好ましくは、上述の表示装置において、前記表示調整部は、前記測色情報記憶部に記憶された前記測色情報から前記センサ部で検出した所在位置に応じた測色結果を取り出し、前記取り出した測色結果と前記目標の見え方との差を補償するように前記表示部における各画素の出力を調整することで、前記表示部の表示状態を調整する。好ましくは、上述の表示装置において、前記表示調整部は、前記表示調整部は、前記測色情報記憶部に記憶された前記測色情報に、前記センサ部で検出した所在位置に当たる測色結果が無い場合に、前記測色情報記憶部に記憶された前記測色情報から前記センサ部で検出した所在位置に近い順に選択した複数（例えば４個や１２個等）の測色位置に対応する複数の測色結果に基づいて、補間（例えば線形補間やスプライン補間やラグランジュ補間等）によって前記センサ部で検出した所在位置に応じた測色結果を生成する。
【０００９】
このような表示装置は、前記センサ部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部を備えるので、表示面に対するユーザの所在する所在位置に応じて表示状態（表示出力）を調整できる。
【００１０】
また、他の一態様では、上述の表示装置において、前記表示調整部は、前記センサ部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整することを特徴とする。好ましくは、上述の表示装置において、前記測色結果は、前記表示面を複数に分けた複数の領域それぞれに対する複数の測定値を含み、前記表示調整部は、前記測色情報記憶部に記憶された前記測色情報から前記センサ部で検出した所在位置に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。
【００１１】
ユーザは、表示面の各位置を、前記各位置に応じた各角度で見込むため、前記各位置に応じた各見え方で見えることになる。このような表示装置は、前記表示面上の位置に応じた調整値で、前記表示部の表示状態を調整するので、前記各位置に応じた各見え方を個々に調整できる。
【００１２】
また、他の一態様では、これら上述の表示装置において、前記測色情報は、前記複数の測色位置それぞれにおいて、前記表示面の全面に白色、原色および中間色それぞれを表示させて測色された測色結果を含むことを特徴とする。好ましくは、上述の表示装置において、前記原色は、赤色（Ｒ）、緑色（Ｇ）および青色（Ｂ）を含む。
【００１３】
これによれば、前記表示面の全面に白色、原色および中間色それぞれを表示させて測色された測色結果を測色情報として持つ表示装置が提供できる。
【００１４】
また、他の一態様では、これら上述の表示装置において、温度を測定する温度センサ部をさらに備え、前記測色情報は、互いに異なる複数の温度で前記表示面を２次元で測色した複数の測色結果を前記複数の温度それぞれにさらに対応付けられており、前記表示調整部は、前記センサ部で検出した所在位置と前記温度センサ部で測定した温度と前記測色情報記憶部に記憶された前記測色情報とに基づいて、前記ユーザの前記所在位置から前記表示面を見た場合に予め設定された目標の見え方となるように、前記表示部の表示状態を調整することを特徴とする。
【００１５】
表示装置、特に液晶表示装置では、表示状態（表示出力）は、温度に依存している。上記表示装置は、測色結果を温度別に備え、表示調整部によって温度をさらに加味して前記表示部の表示状態を調整するので、前記表示部の表示状態を温度に対しても補償できる。
【００１６】
そして、本発明の他の一態様にかかる表示方法は、表示部の表示面に対する複数の測色位置それぞれから前記表示面を２次元で測色した複数の測色結果に前記複数の測色位置それぞれを対応付けた測色情報を測色情報記憶部に記憶する測色情報記憶工程と、前記表示面に対するユーザの所在位置を検出する検出工程と、前記検出工程で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整工程とを備えることを特徴とする。
【００１７】
このような表示方法は、前記検出工程で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整工程を備えるので、表示面に対するユーザの所在する所在位置に応じて表示状態（表示出力）を調整できる。
【００１８】
さらに、本発明の他の一態様にかかる表示システムは、測定対象を２次元で測色する２次元測色計と、これら上述のいずれかの表示装置とを備える表示システムであって、前記２次元測色計は、測定結果を外部の機器へ出力する測色側インターフェース部を備え、前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えることを特徴とする。好ましくは、上述の表示システムにおいて、前記２次元測色計は、３刺激値を測定する２次元色彩計である。
【００１９】
このような表示システムは、これら上述のいずれかの表示装置を備えるので、表示面に対するユーザの所在する所在位置に応じて表示状態（表示出力）を調整できる。そして。上記表示システムは、２次元測色計を備え、表示装置は、前記２次元測色計で測色した測色結果を取得するので、自動的に、前記測色結果を前記測色情報として前記測色情報記憶部に記憶できる。
【００２０】
また、他の一態様では、上述の表示システムにおいて、前記２次元測色計は、前記表示装置の表示面に対する自機の位置を前記測色位置として測定し、前記測定した前記自機の位置を対応付けて前記測定結果を前記測色側インターフェース部から出力する測色位置測定出力部をさらに備えることを特徴とする。
【００２１】
このような表示システムは、２次元測色計によって自機の位置を前記測定位置として測定し、測定結果に測定位置を自動的に対応付けることができる。
【００２２】
また、他の一態様では、上述の表示システムにおいて、前記表示部は、前記表示面を囲む枠をさらに備え、前記測色結果を得るために前記表示面に表示される色は、前記枠における前記表示部の表示面側の表面と異なる色であることを特徴とする。
【００２３】
このような表示システムは、前記測色結果を得るために前記表示面に表示される色が前記枠における前記表示部の表示面側の表面と異なる色であるので、２次元測色計は、前記表示面に対する自機の位置をより高精度に測定できる。
【００２４】
また、他の一態様では、上述の表示システムにおいて、前記表示装置は、前記２次元測色計の位置を前記測色位置として測定し、前記測色結果を得るために前記表示面に所定の色を表示する際に、前記測定した前記２次元測色計の位置を表示する測色位置測定表示部をさらに備え、前記２次元測色計は、前記表示面に表示された前記２次元測色計の位置を前記測色位置として取得し、前記取得した前記２次元測色計の位置を対応付けて前記測定結果を前記測色側インターフェース部から出力する測色位置取得出力部をさらに備えることを特徴とする。
【００２５】
このような表示システムは、表示装置によって２次元測色計の位置を前記測定位置として測定し、測定結果に測定位置を自動的に対応付けることができる。
【００２６】
また、他の一態様では、上述の表示システムにおいて、前記２次元測色計は、前記表示装置の表示面に対する自機の位置が入力され、前記入力された前記自機の位置を対応付けて前記測定結果を前記測色側インターフェース部から出力する測色位置入力出力部をさらに備えることを特徴とする。
【００２７】
このような表示システムは、前記測定位置として前記自機の位置を手入力できる。
【００２８】
また、他の一態様では、これら上述の表示システムにおいて、前記２次元測色計は、前記表示面に対する互いに異なる複数の位置に配置された複数であることを特徴とする。
【００２９】
このような表示システムは、前記表示面に対する互いに異なる複数の位置に配置された複数の２次元測色計を備えるので、１個の２次元測色計を用いた前記測色情報の測定時間に較べてより短時間で前記測色情報を測定できる。
【発明の効果】
【００３０】
本発明にかかる表示装置および表示方法ならびに表示システムは、表示面に対するユーザの所在する所在位置に応じて表示状態（表示出力）を調整できる。
【図面の簡単な説明】
【００３１】
【図１】実施形態における表示システムの構成を示す図である。
【図２】実施形態の表示システムにおける表示装置の構成を示すブロック図である。
【図３】表示装置の表示面を２次元で測色する２次元測色計の測色位置を説明するための図である。
【図４】表示装置に測色情報として記憶される、図３に示す第１測色位置ＰＭ１で測色された第１測色結果の一例を示す図である。
【図５】表示装置に測色情報として記憶される、図３に示す第２測色位置ＰＭ２で測色された第２測色結果の一例を示す図である。
【図６】表示装置に測色情報として記憶される、図３に示す第３測色位置ＰＭ３で測色された第３測色結果の一例を示す図である。
【図７】表示装置に測色情報として記憶される、図３に示す第４測色位置ＰＭ４で測色された第４測色結果の一例を示す図である。
【図８】表示装置に測色情報として記憶される、図３に示す第５測色位置ＰＭ５で測色された第５測色結果の一例を示す図である。
【図９】実施形態の表示システムにおける表示装置の表示状態の調整に関する動作を示すフローチャートである。
【図１０】第１ないし第４変形形態の表示システムにおける２次元測色計の構成を示すブロック図である。
【図１１】第２変形形態の表示システムにおける表示装置の表面に表示される一例の画像を説明するための図である。
【図１２】第４変形形態における表示システムの構成を示す図である。
【発明を実施するための形態】
【００３２】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３３】
図１は、実施形態における表示システムの構成を示す図である。図２は、実施形態の表示システムにおける表示装置の構成を示すブロック図である。図３は、表示装置の表示面を２次元で測色する２次元測色計の測色位置を説明するための図である。図４〜図８は、表示装置に測色情報として記憶される、図３に示す第１から第５測色位置ＰＭ１〜ＰＭ５で測色された第１から第５測色結果の一例を示す図である。
【００３４】
実施形態における表示システムＤＳは、表示装置ＤＰと、２次元測色計ＭＤとを備える。
【００３５】
２次元測色計ＭＤは、測定対象を２次元で測色する装置であり、ユーザの所在位置での見え方を解析するための装置である。２次元測色計ＭＤは、例えば、３刺激値を２次元分布で測定する２次元色彩計である。このような２次元色彩計は、例えば、表示装置ＤＰの色情報を２次元で測定するための光学フィルタ、エリアイメージセンサおよび情報処理回路等を備え、表示装置ＤＰの２次元色分布を三刺激値ＸＹＺで計測する。また例えば、２次元測色計ＭＤは、表示装置ＤＰからの光を回折格子で分光し、この分光をリニアイメージセンサで受光し、前記表示装置ＤＰを一方向に走査することで、前記リニアイメージセンサから出力される１次元分光データから表示装置ＤＰの２次元色分布を計測する分光型２次元測色計であって良い。また例えば、２次元測色計ＭＤは、表示装置ＤＰからの光を光学フィルタを介して受光素子で受光し、前記表示装置ＤＰを例えばラスタースキャンのように２次元で走査することで、前記受光素子から出力される点データから表示装置ＤＰの２次元色分布を計測する２次元測色計であって良い。
【００３６】
表示装置ＤＰは、表示を行う装置であり、例えば、図２に示すように、センサ部１１と、表示部１２と、温度センサ部１３と、表示側制御処理部（ＤＰ制御処理部）１４と、表示側記憶部（ＤＰ記憶部）１５と、アンテナ１６とを備える。
【００３７】
表示部１２は、ＤＰ制御処理部１４に接続され、ＤＰ制御処理部１４の制御に従って表示面に所定の表示を行う装置である。表示部１２は、例えば、表示パネル、前記表示パネルの表示面に前記所定の表示として例えば静止画や動画等のコンテンツを表示するように、前記表示パネルをＤＰ制御処理部の制御に従って駆動する駆動回路、および、前記表示パネルの表示面を囲み、前記表示パネルおよび前記駆動回路を収容する枠（ベゼル）等を備えて構成される。前記表示パネルは、例えば、液晶表示パネルや有機ＥＬパネルやプラズマパネル等である。
【００３８】
センサ部１１は、ＤＰ制御処理部１４に接続され、ＤＰ制御処理部１４の制御に従って表示部１２の表示面に対するユーザの所在する所在位置を検出する回路であり、その検出結果をＤＰ制御処理部１４へ出力する。センサ部１１は、例えば、所定の間隔を空けて２次元アレイ状に配列された複数の焦電素子、距離計および情報処理回路等を備え、複数の焦電素子における各出力からユーザの所在する方向（Ｕｘ、Ｕｙ）を検出し、この検出した方向（Ｕｘ、Ｕｙ）へ前記距離計によってユーザまでの距離（Ｕｚ）を測定することで、ユーザの所在位置（Ｕｘ、Ｕｙ、Ｕｚ）を検出する。前記距離計は、例えば、ステレオカメラで得られた一対の画像から測定対象（ユーザ）に関する視差を求め、この求めた視差から三角測量の原理によって測定対象（ユーザ）までの距離を求めるステレオカメラ方式距離計や、例えば超音波やレーザ光のパルスを送受信し、そのＴＯＦ（Ｔｉｍｅ  Ｏｆ  Ｆｒｉｇｈｔ）から測定対象（ユーザ）までの距離を求めるＴＯＦ方式距離計等である。なお、ユーザの所在方向（Ｕｘ，Ｕｙ）は、上記焦電素子に代え、ステレオカメラの２次元画像から検出してもよい。また例えば、センサ部１１は、ＬＩＤＡＲ（Ｌａｓｅｒ  Ｉｍａｇｉｎｇ  Ｄｅｔｅｃｔｉｏｎ  ａｎｄ  Ｒａｎｇｉｎｇ）技術を用いることによって、被写体までの距離を表す情報で表現された複数の画素で構成される距離画像（Ｕｘ、Ｕｙ、Ｕｚ）を生成する距離画像センサおよび情報処理回路等を備え、距離画像から、例えば予め用意された人物モデルのパターンマッチングによって、あるいは、人物検出用に学習したニューラルネットワークによって、人物領域を検出し、この検出した人物領域の位置を前記ユーザの所在位置（Ｕｘ、Ｕｙ、Ｕｚ）として検出する。また例えば、センサ部１１は、ステレオカメラおよび情報処理回路等を備え、前記ステレオカメラの一方で得られた画像から、例えば予め用意された人物モデルのパターンマッチングによって、あるいは、人物検出用に学習したニューラルネットワークによって、人物領域を検出し、この検出した人物領域の方向（Ｕｘ、Ｕｙ）を求め、前記ステレオカメラで得られた一対の画像から前記人物領域に関する視差を求め、この求めた視差から三角測量の原理によって前記人物領域までの距離（Ｕｚ）を求め、これによってユーザの所在位置（Ｕｘ、Ｕｙ、Ｕｚ）を検出する。
【００３９】
温度センサ部１３は、ＤＰ制御処理部１４に接続され、表示装置ＤＰの温度を検出する回路であり、その検出結果をＤＰ制御処理部１４へ出力する。温度センサ部１３は、例えば、サーミスタ（または熱電対、または白金抵抗等）およびその周辺回路を備えて構成され、ＤＰ制御処理部１４は、前記サーミスタ等の抵抗値を温度に換算し、表示装置ＤＰの温度を求めて取得する。
【００４０】
アンテナ１６は、ＤＰ制御処理部１４に接続され、電波を受信して受信信号を生成し、この生成した受信信号をＤＰ制御処理部１４へ出力するものである。
【００４１】
ＤＰ記憶部１５は、ＤＰ制御処理部１４に接続され、ＤＰ制御処理部１４の制御に従って各種の所定のプログラムおよび各種の所定のデータを記憶する回路である。前記各種の所定のプログラムには、例えば、表示装置ＤＰの各部を当該各部の機能に応じてそれぞれ制御するＤＰ制御プログラムや、アンテナ１６で得られた受信信号を映像信号に変換し、この映像信号の映像を表示部１２の表示面に表示するように、表示部１２を制御する映像信号生成プログラムや、前記映像信号生成プログラムによって表示部１２の表示面に前記映像を表示する際に、センサ部１１で検出したユーザの所在位置（Ｕｘ、Ｕｙ、Ｕｚ）と後述の測色情報とに基づいて、前記ユーザの所在位置（Ｕｘ、Ｕｙ、Ｕｚ）から前記表示面を見た場合に予め設定された目標の見え方となるように、表示部１２の表示状態を調整する表示調整プログラム等が含まれる。前記各種の所定のデータには、前記測色情報等の各プログラムを実行する上で必要なデータ等が含まれる。ＤＰ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＤＰ記憶部１５は、前記所定のプログラムの実行中に生じるデータ等を記憶するいわゆるＤＰ制御処理部１４のワーキングメモリとなるＲＡＭ（Ｒａｎｄｏｍ  Ａｃｃｅｓｓ  Ｍｅｍｏｒｙ）等を含む。そして、ＤＰ記憶部１５は、前記測色情報を記憶するために、測色情報記憶部１５１を機能的に備える。
【００４２】
測色情報記憶部１５１は、前記測色情報を記憶するものである。前記測色情報は、例えば製造段階や出荷段階等の、ユーザが表示装置ＤＰを使用する前に、生産者によって予め測色情報記憶部１５１に記憶される。前記測色情報は、表示部１２の前記表示面に対する複数の測色位置（ＭＤｘ、ＭＤｙ、ＭＤｚ）それぞれから前記表示面を２次元で測色した複数の測色結果に前記複数の測色位置（ＭＤｘ、ＭＤｙ、ＭＤｚ）それぞれを対応付けた情報である。前記測色情報を得る測定（測色）では、表示部１２の表示状態を調整する上で好適な予め設定された所定の画像（測色情報取得用画像）が表示部１２に表示され、前記測色位置（ＭＤｘ、ＭＤｙ、ＭＤｚ）に２次元測色計ＭＤが配置され、表示部１２の表示面が２次元で測色される。そして、このような測色が前記複数の測色位置（ＭＤｘ、ＭＤｙ、ＭＤｚ）それぞれの位置で実行される。前記測定は、例えば、前記複数の測色位置（ＭＤｘ、ＭＤｙ、ＭＤｚ）に１個の２次元測色計ＭＤが順次に配置されることで実行されて良く、また例えば、前記測定は、前記複数の測色位置（ＭＤｘ、ＭＤｙ、ＭＤｚ）それぞれに複数の２次元測色計ＭＤが同時に配置されることで実行されて良い。そして、前記測色情報は、１つの温度（例えば室温２５℃等）に対する測色結果で構成されて良いが、本実施形態では、互いに異なる複数の温度（例えば２０℃、２５℃および３０℃等）に対する複数の測色結果で構成される。すなわち、前記測色情報は、互いに異なる複数の温度で表示部１２の前記表示面を２次元で測色した複数の測色結果を前記複数の温度それぞれにさらに対応付けられて測色情報記憶部１５１に記憶されている。
【００４３】
より具体的には、図３に示すように、表示部１２における前記表示面の中央位置（例えば前記表示面が矩形である場合に対角線の交点位置等）を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とするＭＤｘＭＤｙＭＤｚ直交座標系を設定した場合に、前記測色情報は、５個の第１から第５測色位置（ＭＤｘ、ＭＤｙ、ＭＤｚ）に２次元測色計ＭＤが順次に配置され、表示部１２の表示面が２次元測色計ＭＤによって２次元で測色されることで、生成される。前記測定の際に、前記測色情報取得用画像として、前記表示面の全面に白色、原色および中間色それぞれが表示される。したがって、本実施形態では、前記測色情報は、前記複数の表示部１２の測色位置（Ｄｘ、Ｄｙ、Ｄｚ）それぞれにおいて、前記表示面の全面に白色、原色および中間色それぞれを表示させて測色された測色結果を含む。前記原色は、赤色、青色および緑色を含む（すなわち、前記測色情報は、前記複数の測色位置（Ｄｘ、Ｄｙ、Ｄｚ）それぞれにおいて、前記表示面の全面に赤色、青色および緑色それぞれを表示させて測色された測色結果を含む）。図３に示す例では、ミリメートル単位（ｍｍ）で、第１測色位置ＰＭ１は、座標（０、０、１０００）であり、第２測色位置ＰＭ２は、座標（−７００、０、１０００）であり、第３測色位置ＰＭ３は、座標（７００、０、１５００）であり、第４測色位置ＰＭ４は、座標（−３５０、−５００、２０００）であり、そして、第５測色位置ＰＭ５は、座標（３５０、５００、２０００）である。このように前記測色情報は、前記表示面から互いに異なる距離であって水平方向および垂直方向の互いに異なる複数の測色位置それぞれで得られた複数の測色結果を含む。このような第１から第５測色位置ＰＭ１〜ＰＭ５それぞれにおいて、所定の温度（例えば室温２５℃等）の場合に、２次元測色計ＭＤによって表示部１２の前記表示面を２次元で測色した第１から第５測色結果の一例が図４から図８それぞれに示されている。すなわち、図４は、第１測色位置ＰＭ１（０、０、１０００）の第１測色結果を示し、図５は、第２測色位置ＰＭ２（−７００、０、１０００）を示し、図６は、第３測色位置ＰＭ３（７００、０、１５００）の第３測色結果を示し、図７は、第４測色位置ＰＭ４（−３５０、−５００、２０００）の第４測色結果を示し、そして、図８は、第５測色位置ＰＭ５（３５０、５００、２０００）の第５測色結果を示す。そして、図４から図８では、表示部１２の表示面上に、表示部１２における前記表示面の中央位置（例えば前記表示面が矩形である場合に対角線の交点位置等）を座標原点とし、互いに直交する水平線および垂直線それぞれをＤＰｘ軸およびＤＰｙ軸とするＤＰｘＤＰｙ直交座標系を設定した場合に、各測色結果は、横方向を各ＤＰｘ値とし、縦方向を各ＤＰｙ値とする２次元マトリクス状のテーブルに登録されている。なお、各ＤＰｘ値は、複数の画素数から成る第１間隔（水平）ごとに割り当てられ、各ＤＰｙ値は、複数の画素数から成る第２間隔（垂直）ごとに割り当てられている。例えば、表示部１２の表示解像度が１９２０×���０８０である場合、前記第１間隔は、６２画素であり、各ＤＰｘは、６２画素ごとに割り当てられ、前記第２間隔は、７２画素であり、各ＤＰｙは、７２画素ごとに割り当てられる。したがって、図４から図８に示す例では、原則６２×７２を単位領域として表示部１２の表示面における２次元分布が測色されている（周辺は、６１×７２）。したがって、前記測色結果は、表示部１２の前記表示面を複数に分けた複数の単位領域それぞれに対する複数の測定値を含む。そして、前記テーブルの各欄には、上段に輝度値Ｙが登録され、中段に、ｘｙ色度図における色度ｘが登録され、そして、下段に、前記ｘｙ色度図における色度ｙが登録されている。白色表示（赤Ｒ＝２５５／緑Ｇ＝２５５／青Ｂ＝２５５）した状態で、例えば、図４において、前記表示面上の位置（−７、−１５）での測色結果は、輝度Ｙが４０ｃｄ／ｍ２であり、色度ｘが０．３３０であり、色度ｙが０．３４５であり、前記表示面上の位置（０、０）での測色結果は、輝度Ｙが１００ｃｄ／ｍ２であり、色度ｘが０．３１２７であり、色度ｙが０．３２９０であり、前記表示面上の位置（−７、１５）での測色結果は、輝度Ｙが４４ｃｄ／ｍ２であり、色度ｘが０．３２９であり、色度ｙが０．３４５であり、そして、前記表示面上の位置（７、−１５）での測色結果は、輝度Ｙが３９ｃｄ／ｍ２であり、色度ｘが０．３３３であり、色度ｙが０．３４８である。これら輝度Ｙは、前記表示面の全面に白色を表示させて測色された測色結果に基づいて得られ、色度ｘ、ｙは、前記表示面の全面に赤色（Ｒ＝２５５／Ｇ＝０／Ｂ＝０）、緑色（Ｒ＝０／Ｇ＝２５５／Ｂ＝０）および青色（Ｒ＝０／Ｇ＝０／Ｂ＝２５５）それぞれを表示させて測色された各測色結果に基づいて得られる。また、白色でも、諧調を変更した中間色表示、例えば、（Ｒ＝１２８／Ｇ＝１２８／Ｂ＝１２８）、（Ｒ＝６４／Ｇ＝６４／Ｂ＝６４、（Ｒ＝３２／Ｇ＝３２／Ｂ＝３２）等を表示させて、図４〜図８に相当する測定結果が得られる。さらに、シアン（Ｒ＝０／Ｇ＝２５５／Ｂ＝２５５）、マゼンタ（Ｒ＝２５５／Ｇ＝０／Ｂ＝２５５）、イエロー（Ｒ＝２５５／Ｇ＝２５５／Ｂ＝０）等補色を表示させて、図４〜図８に相当する測定結果が得られる。さらに、任意の各種中間色、例えばダークオレンジ（Ｒ＝２５５／Ｇ＝１４０／Ｂ＝０）、ライトピンク（Ｒ＝２５５／Ｇ＝１８２／Ｂ＝１９３）等の中間色を表示して、図４〜図８に相当する測定結果が得られる。そして、これを元に、単色の場合と同様に、測色情報に反映させる。なお、上述のように設定されたＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。なお、図示を省略するが、このような各測色位置（ＭＤｘ、ＭＤｙ、ＭＤｚ）で測色した各測色結果を登録した各測定結果テーブルが互いに異なる複数の温度（例えば２０℃および３０℃等）でも作成されている。
【００４４】
そして、測色情報記憶部１５１には、このような各測色結果を登録した各テーブルがその測色位置（ＭＤｘ、ＭＤｙ、ＭＤｚ）およびその測色の際の温度に対応付けられて記憶される。
【００４５】
なお、上述では、測色位置は、５個箇所であるが、これに限定されるものではなく、例えば表示部１２の視野角や表示装置ＤＰの仕様等に応じて適宜な個数に設定される。また、上述では、表示部１２の測色における領域数は、表示部１２の表示面を、横方向に３１分割するとともに縦方向に１５分割（３１×１５分割）した４６５個であるが、前記領域数は、これに限定されるものではなく、例えば表示部１２の視野角や表示装置ＤＰの仕様等に応じて適宜な個数に設定される。
【００４６】
図２に戻って、ＤＰ制御処理部１４は、表示装置ＤＰの各部を当該各部の機能に応じてそれぞれ制御し、表示部１２の表示面に所定の表示を行う際に、前記ユーザの所在位置（Ｕｘ、Ｕｙ、Ｕｚ）から前記表示面を見た場合に。予め設定された目標の見え方となるように、前記表示部１２の表示状態を調整する回路である。ＤＰ制御処理部１４は、例えば、ＣＰＵ（Ｃｅｎｔｒａｌ  Ｐｒｏｃｅｓｓｉｎｇ  Ｕｎｉｔ）（またはＦＰＧＡ（ｆｉｅｌｄ  ｐｒｏｇｒａｍｍａｂｌｅ  ｇａｔｅ  ａｒａｙ））およびその周辺回路を備えて構成される。ＤＰ制御処理部１４は、前記制御処理プログラムが実行されることによって、表示側制御部（ＤＰ制御部）１４１および表示調整部１４２を機能的に備える。
【００４７】
ＤＰ制御部１４１は、表示装置ＤＰの各部を当該各部の機能に応じてそれぞれ制御し、表示装置ＤＰの全体制御を司るものである。
【００４８】
表示調整部１４２は、センサ部１１で検出したユーザの所在位置（Ｕｘ、Ｕｙ、Ｕｚ）と測色情報記憶部１５１に記憶された測色情報とに基づいて、前記ユーザの所在位置（Ｕｘ、Ｕｙ、Ｕｚ）から表示部１２の前記表示面を見た場合に予め設定された目標の見え方となるように、表示部１２の表示状態（表示出力）を調整する。本実施形態では、上述したように、測色情報として温度別に測色結果を測色情報記憶部１５１に記憶しているので、表示調整部１４２は、センサ部１１で検出したユーザの所在位置（Ｕｘ、Ｕｙ、Ｕｚ）と温度センサ部１３で測定した温度と測色情報記憶部１５１に記憶された測色情報とに基づいて、前記ユーザの所在位置（Ｕｘ、Ｕｙ、Ｕｚ）から表示部１２の前記表示面を見た場合に前記目標の見え方となるように、表示部１２の表示状態（表示出力）を調整する。
【００４９】
前記表示状態（表示出力）は、輝度および色度のうちの少なくとも一方である。本実施形態では、前記測色情報は、輝度Ｙおよび色度ｘ、ｙを含むので、前記表示状態（表示出力）は、輝度および色度の両方であるが（すなわち、輝度Ｙおよび色度ｘ、ｙの両方が調整される）、前記測色情報が輝度Ｙのみである場合には、前記表示状態（表示出力）は、輝度Ｙのみであって良く（すなわち、輝度Ｙのみが調整される）、また、前記測色情報が色度ｘ、ｙのみである場合には、前記表示状態（表示出力）は、色度ｘ、ｙのみであって良い（すなわち、色度ｘ、ｙのみが調整される）。
【００５０】
前記目標の見え方は、予め定義された所定の見え方であって良く、好ましくは、前記目標の見え方は、表示部１２における表示面の中央位置を通る前記表示面の法線上から前記表示面の前記中央位置を見た場合における見え方（正常な見え方）であって良い。本実施形態では、前記目標の見え方は、表示部１２の表示面における、ユーザの所在位置（Ｕｘ、Ｕｙ、Ｕｚ）を通る前記表示面の法線を含む所定広さの領域（例えば前記法線と前記表示面との交点等）を前記法線上から見た場合における見え方（ユーザの所在位置での見え方）である。
【００５１】
より具体的には、表示調整部１４２は、測色情報記憶部１５１に記憶された測色情報からセンサ部１１で検出したユーザの所在位置（Ｕｘ、Ｕｙ、Ｕｚ）に応じた測色結果を取り出し、この取り出した測色結果と前記目標の見え方との差を補償するように表示部１２における各画素の出力を調整することで、表示部１２の表示状態を調整する。例えば、所在位置（Ｕｘ、Ｕｙ、Ｕｚ）のＵｘＵｙＵｚ直交座標系およびＭＤｘＭＤｙＭＤｚ直交座標系が互いに一致する場合に、表示調整部１４２は、測色情報記憶部１５１に記憶された測色情報から、センサ部１１で検出したユーザの所在位置（Ｕｘ、Ｕｙ、Ｕｚ）を測定位置（ＭＤｘ、ＭＤｙ、ＭＤｚ）とする測色結果（ＭＤｘ＝Ｕｘ、ＭＤｙ＝Ｕｙ、ＭＤｚ＝Ｕｚの測色結果）を取り出す。より詳しくは、本実施形態では、表示調整部１４２は、測色情報記憶部１５１に記憶された測色情報から、温度センサ部１３で測定した温度およびセンサ部１１で検出したユーザの所在位置（Ｕｘ、Ｕｙ、Ｕｚ）に応じた測色結果を取り出し、この取り出した測色結果と前記目標の見え方との差を補償するように表示部１２における各画素の出力を調整することで、表示部１２の表示状態を調整する。図４〜図８に示す例では、輝度Ｙおよび色度ｘ、ｙの各値は、表示部１２における表示面上の位置に応じた値であるので、前記取り出した測色結果と前記目標の見え方との差（調整値）は、表示部１２における表示面上の位置に応じた値となり、表示調整部１４２は、表示部１２における前記表示面上の位置に応じた調整値で、表示部１２の表示状態を調整する。より具体的には、表示調整部１４２は、測色情報記憶部１５１に記憶された測色情報からセンサ部１１で検出したユーザの所在位置（Ｕｘ、Ｕｙ、Ｕｚ）に応じた測色結果を取り出し、表示部１２における各画素ごとに、この取り出した測色結果と前記目標の見え方との差を補償するように前記表示面上の位置に応じた調整値をそれぞれ生成し、この生成した各調整値で表示部１２における各画素の出力を調整することで、表示部１２の表示状態を調整する。例えば、図４に示す例において、ユーザが座標（０、０、１０００）に所在する場合には、座標（０、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、表示部１２の表示状態が調整される。例えば、座標（−７、−１５）の領域では、その測定結果（輝度Ｙ＝４０ｃｄ／ｍ２、色度ｘ＝０．３３０、色度ｙ＝０．３４５）と目標の見え方（輝度Ｙ＝１００ｃｄ／ｍ２、色度ｘ＝０．３１２７、色度ｙ＝０．３２９０）との差が求められ、この差を調整値として、表示部１２の表示状態が調整される（例えば、輝度Ｙは、その差６０ｃｄ／ｍ２を補償するようにアップされる。すなわち、輝度Ｙは、２．５倍される）。
【００５２】
なお、表示調整部１４２は、測色情報記憶部１５１に記憶された測色情報に、センサ部１１で検出したユーザの所在位置（Ｕｘ、Ｕｙ、Ｕｚ）に当たる測色結果が無い場合に、測色情報記憶部１５１に記憶された測色情報からセンサ部１１で検出したユーザの所在位置（Ｕｘ、Ｕｙ、Ｕｚ）に近い順に選択した複数（例えば４個や１２個等）の測色位置に対応する複数の測色結果に基づいて、補間（例えば線形補間やスプライン補間やラグランジュ補間等）によって、センサ部１１で検出したユーザの所在位置（Ｕｘ、Ｕｙ、Ｕｚ）に応じた前記測色結果を生成して良い。前記補間のための測色位置の選択数は、２次元であるので、上下左右の最低４個であり、さらにその外側を用いる場合には１２個となる。好ましくは、さらにその外側も用いる場合には、前記選択数は、１００個程度となる。同様に、表示調整部１４２は、測色情報記憶部１５１に記憶された測色情報に、温度センサ部１３で測定した温度に当たる測色結果が無い場合に、測色情報記憶部１５１に記憶された測色情報から温度センサ部１３で測定した温度に近い順に選択した複数（例えば２個や３個等）の温度に対応する複数の測色結果に基づいて、補間（例えば線形補間やスプライン補間やラグランジュ補間等）によって、温度センサ部１３で測定した温度に応じた前記測色結果を生成して良い。また、温度による補間および位置による補間の両方の補間が実施される場合には、温度による補間がまず実行され、温度による補間の結果に対し、位置による補間が実行される。
【００５３】
映像信号生成部１４３は、アンテナ１６で得られた受信信号を映像信号に変換し、この映像信号の映像を表示部１２の表示面に表示するように、表示部１２を制御するものである。
【００５４】
次に、本実施形態における表示装置の表示状態の調整に関する動作について説明する。図９は、実施形態の表示システムにおける表示装置の表示状態の調整に関する動作を示すフローチャートである。
【００５５】
このような表示システムＤＳおよび表示装置ＤＰでは、ユーザ（オペレータ）によって図略の電源スイッチがオンされると、ＤＰ制御処理部１４は、必要な各部の初期化を実行し、制御処理プログラムの実行によって、ＤＰ制御処理部１４には、ＤＰ制御部１４１および表示調整部１４２が機能的に構成される。
【００５６】
そして、本実施形態における表示システムＤＳおよび表示装置ＤＰは、例えば静止画や動画等のコンテンツを表示部１２に表示する際に、表示状態の調整に関し、前記静止画を表示する場合にはその際に、また、前記動画を表示する場合には各フレームごとに、あるいは、数フレームごとに、次のように動作する。なお、センサ部１１および温度センサ部１３は、それぞれ、開始以降、常時、動作してモニタしている。
【００５７】
図９において、まず、ＤＰ制御処理部１４は、温度センサ部１３によって温度を検出し、この検出した温度を温度センサ部１３から取得する（Ｓ１）。
【００５８】
次に、ＤＰ制御処理部１４は、センサ部１１によってユーザの所在位置（Ｕｘ、Ｕｄ、Ｕｚ）を検出し、この検出したユーザの所在位置（Ｕｘ、Ｕｄ、Ｕｚ）をセンサ部１１から取得する（Ｓ２）。
【００５９】
次に、ＤＰ制御処理部１４は、表示調整部１４２によって、センサ部１１で検出した所在位置（Ｕｘ、Ｕｙ、Ｕｚ）と温度センサ部１３で測定した温度と測色情報記憶部１５１に記憶された測色情報とに基づいて、前記ユーザの所在位置（Ｕｘ、Ｕｙ、Ｕｚ）から表示部１２の表示面を見た場合に前記目標の見え方となるように、前記表示面上の位置に応じた調整値で、表示部１２の表示状態を調整する。
【００６０】
より具体的には、処理Ｓ２に続いて、表示調整部１４２は、測色情報記憶部１５１に記憶された測色情報から、センサ部１１で検出したユーザの所在位置（Ｕｘ、Ｕｙ、Ｕｚ）および温度センサ部１３で測定した温度に応じた測色結果を選定し、取り出す（Ｓ３）。なお、表示調整部１４２は、上述した補間の処理を実行してもよい。
【００６１】
例えば、センサ部１１によって検出されたユーザの所在位置（Ｕｘ、Ｕｙ、Ｕｚ）が座標（−７００、０，１０００）であって、温度センサ部１３によって検出された温度が室温２５℃である場合には、表示調整部１４２は、測色情報記憶部１５１に記憶された測色情報から、Ｕｘ＝ＭＤｘ＝−７００、Ｕｙ＝ＭＤｙ＝０、Ｕｚ＝ＭＤｚ＝１０００の座標位置に配置された２次元測色計ＭＤで測色された図５に示す測色結果を選定し、取り出す。また例えば、センサ部１１によって検出されたユーザの所在位置（Ｕｘ、Ｕｙ、Ｕｚ）が座標（−３５０、０，１０００）であって、温度センサ部１３によって検出された温度が室温２５℃である場合には、表示調整部１４２は、測色情報記憶部１５１に記憶された測色情報から、Ｕｘ＝ＭＤｘ＝−３５０、Ｕｙ＝ＭＤｙ＝０、Ｕｚ＝ＭＤｚ＝１０００の座標位置に近い位置に配置された２次元測色計ＭＤで測色された図４および図５に示す各測色結果を選定し、これら図４および図５に示す各測色結果に基づいて、補間によって、前記座標（−３５０、０，１０００）に対応する測色結果を生成する。
【００６２】
次に、表示調整部１４２は、表示部１２における各画素ごとに、この取り出した測色結果と前記目標の見え方との差を補償するように前記表示面上の位置に応じた調整値をそれぞれ生成する（Ｓ４）。
【００６３】
そして、ＤＰ制御処理部１４は、処理Ｓ４で求めた各調整値を用いて表示を行い（Ｓ５）、処理を終了する。例えば、前記静止画の表示では、ＤＰ制御処理部１４は、処理Ｓ４で求めた各調整値を用いて前記静止画の各画素値をそれぞれ調整して前記静止画を表示部１２に表する。また例えば、前記動画の表示では、ＤＰ制御処理部１４は、処理Ｓ４で求めた各調整値を用いて前記動画におけるフレームの各画素値を調整して前記動画のフレームを表示部１２に表示する。
【００６４】
一例として、上述の例では、ユーザが座標（−７００、０、１０００）に所在するので、座標（−１５、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、各領域における各画素の表示状態が調整される。例えば、座標（１４、０）の領域では、その測定結果（輝度Ｙ＝５０ｃｄ／ｍ２、色度ｘ＝０．３３６、色度ｙ＝０．３５５）と目標の見え方（輝度Ｙ＝１００ｃｄ／ｍ２、色度ｘ＝０．３１２７、色度ｙ＝０．３２９０）との差が求められ、この差を調整値として、座標（１４、０）の領域における各画素の表示状態が調整される（例えば、各画素の輝度Ｙは、その差５０ｃｄ／ｍ２を補償するようにアップされる。すなわち、各画素の輝度Ｙは、２倍される）。
【００６５】
以上説明したように、本実施形態における表示システムＤＳ、表示装置ＤＰおよびこれに実装された表示方法は、センサ部１１で検出したユーザの所在位置（Ｕｘ、Ｕｙ、Ｕｚ）と測色情報記憶部１５１に記憶された測色情報とに基づいて、前記ユーザの所在位置（Ｕｘ、Ｕｙ、Ｕｚ）から表示部１２の表示面を見た場合に予め設定された目標の見え方となるように、表示部１２の表示状態を調整する表示調整部１４２を備えるので、表示部１２の前記表示面に対するユーザの所在する所在位置（Ｕｘ、Ｕｙ、Ｕｚ）に応じて表示状態（表示出力）を調整できる。このため、上記表示システムＤＳ、表示装置ＤＰおよび表示方法は、表示部１２固有の視野角を表示調整部１４２によってより拡大でき、視野角特性の少ない有機ＥＬ（Ｅｌｅｃｔｒｏｌｕｍｉｎｅｓｃｅｎｃｅ）表示装置並の画質に近づけることができる。
【００６６】
ユーザは、表示部１２における表示面の各位置を、前記各位置に応じた各角度で見込むため、前記各位置に応じた各見え方で見えることになるが、上記表示システムＤＳ、表示装置ＤＰおよび表示方法は、前記表示面上の位置に応じた調整値で、表示部１２の表示状態（表示出力）を調整するので、前記各位置に応じた各見え方を個々に好適に調整できる。
【００６７】
そして、表示装置では、表示状態（表示出力）は、温度に依存している。特に液晶表示装置では、表示面に貼着されるフィルタの分光透過率やバックライトの分光放射照度等が温度依存性を持つので、表示状態（表示出力）は、温度に依存している。上記表示システムＤＳ、表示装置ＤＰおよび表示方法は、測色結果を温度別に備え、表示調整部１４２によって温度をさらに加味して表示部１２の表示状態を調整するので、表示部１２の表示状態を温度に対しても補償できる。
【００６８】
なお、上述の実施形態において、測色情報は、例えばＰＲＯＭ（Ｐｒｏｇｒａｍｍａｂｌｅ  ＲＯＭ）やＥＰＲＯＭ（Ｅｒａｓａｂｌｅ  Ｐｒｏｇｒａｍｍａｂｌｅ  ＲＯＭ）にデータを書き込むためのＲＯＭライタ等を用いて測色情報記憶部１５１に記憶されて良いが、次の第１ないし第４変形形態のいずれかによって測色情報記憶部１５１に記憶されて良い。
【００６９】
図１０は、第１ないし第４変形形態の表示システムにおける２次元測色計の構成を示すブロック図である。図１１は、第２変形形態の表示システムにおける表示装置の表面に表示される一例の画像を説明するための図である。図１２は、第４変形形態における表示システムの構成を示す図である。
【００７０】
２次元測色計ＭＤは、これら第１ないし第４変形形態では、測定結果を外部の機器へ出力する測色側インターフェース部を備える。より具体的には、２次元測色計ＭＤは、例えば図１０に示すように、２次元測色部２１と、測色側制御処理部２２と、測色側インターフェース部（ＭＤＩＦ部）２３と、測色側記憶部（ＭＤ記憶部）２４とを備える。
【００７１】
２次元測色部２１は、ＭＤ制御処理部２２に接続され、ＭＤ制御処理部２２の制御に従って測定対象を２次元で測色する装置である。２次元測色計ＭＤが２次元色彩計である場合には、２次元測色部２１は、例えば、表示部１２におけるＲＧＢの各成分を２次元で測定するための光学フィルタおよびエリアイメージセンサ等を備え、表示部１２の色に応じたＲＧＢの各成分の各信号をＭＤ制御処理部２２へ出力する。
【００７２】
ＭＤＩＦ部２３は、測定結果を外部の機器へ出力するために、ＭＤ制御処理部２２に接続され、ＭＤ制御処理部２２の制御に従って外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００７３】
ＭＤ記憶部２４は、ＭＤ制御処理部２２に接続され、ＭＤ制御処理部２２の制御に従って各種の所定のプログラムおよび各種の所定のデータを記憶する回路である。前記各種の所定のプログラムには、例えば、２次元測色計ＭＤの各部を当該各部の機能に応じてそれぞれ制御し、２次元測色部２１で得られた２次元色分布の三刺激値ＸＹＺを求めるＭＤ制御プログラム等が含まれる。前記各種の所定のデータには、各プログラムを実行する上で必要なデータ等が含まれる。ＭＤ記憶部２４は、例えばＲＯＭ、ＥＥＰＲＯＭおよびＲＡＭ等を含む。
【００７４】
ＭＤ制御処理部２２は、２次元測色計ＭＤの各部を当該各部の機能に応じてそれぞれ制御し、測定対象を２次元で測色する回路である。ＭＤ制御処理部２２は、例えば、ＣＰＵおよびその周辺回路を備えて構成される。ＭＤ制御処理部２２は、前記制御処理プログラムが実行されることによって、測色側制御部（ＭＤ制御部）２２１を機能的に備える。ＭＤ制御部２２１は、２次元測色計ＭＤの各部を当該各部の機能に応じてそれぞれ制御し、２次元測色部２１で得られた２次元色分布の三刺激値ＸＹＺを求めるものである。
【００７５】
一方、表示装置ＤＰは、これら第１ないし第４変形形態では、例えば図２に破線で示すように、２次元測色計ＭＤのＭＤＩＦ部２３から出力された測色結果を取得する表示側インターフェース部（ＤＰＩＦ部）１７と、ＤＰＩＦ部１７で取得した前記測色結果を前記測色情報として測色情報記憶部１５１に記憶する測色情報記憶処理部１４４とをさらに備える。ＤＰＩＦ部１７は、２次元測色計ＭＤのＭＤＩＦ部２３から出力された測色結果を取得するために、ＤＰ制御処理部１４に接続され、ＤＰ制御処理部１４の制御に従って外部機器との間でデータの入出力を行う回路であり、ＭＤＩＦ部２３の種類に応じた、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。測色情報記憶処理部１４４は、ＤＰ制御処理部１４に機能的に構成される。
【００７６】
このような表示装置ＤＰおよび２次元測色計ＭＤを備える表示システムＤＳでは、表示装置ＤＰと２次元測色計ＭＤとは、ＤＰＩＦ部１７およびＭＤＩＦ部２３を介して、互いにデータを交換し、表示装置ＤＰは、測色情報記憶処理部１４４によって、２次元測色計ＭＤから測色結果を取得し、この取得した測色結果を前記測色情報として測色情報記憶部１５１に記憶する。このように表示システムＤＳおよび表示装置ＤＰは、２次元測色計ＭＤから直接的に測色結果を取得でき、測色情報記憶部１５１に記憶できる。
【００７７】
そして、第１変形形態では、２次元測色計ＭＤは、表示装置ＤＰの表示面に対する自機の位置を前記測色位置として測定し、この測定した前記自機の位置を対応付けて前記測定結果をＭＤＩＦ部２３から出力する測色位置測定出力部をさらに備える。このような表示システムＤＳは、２次元測色計ＭＤによって自機の位置を前記測定位置として測定し、測定結果に測定位置を自動的に対応付けることができる。
【００７８】
より具体的には、この第１変形形態では、２次元測色計ＭＤは、例えば図１０に破線で示すように、表示装置ＤＰの表示面に対する自機の位置を前記測色位置として測定する位置測定部２５と、この位置測定部２５で測定した前記自機の位置を対応付けて前記測定結果をＭＤＩＦ部２３から出力する測色位置出力処理部２２２とをさらに備える。測色位置出力処理部２２２は、ＭＤ制御処理部２２に機能的に構成される。
【００７９】
位置測定部２５は、ＭＤ制御処理部２２に接続され、ＭＤ制御処理部２２の制御に従って、測色前、測色後あるいは測色中に、表示装置ＤＰの表示面に対する自機の位置を前記測色位置として測定する回路であり、その検出結果をＭＤ制御処理部２２へ出力する。位置測定部２５は、例えば、ステレオカメラおよび情報処理回路等を備え、自機を座標原点とするＡｘＡｙＡｚ直交座標系において、前記ステレオカメラの一方で得られた画像から例えばエッジ検出等によって表示部１２を検出し、この検出した表示部１２の中央位置の方向（Ａｘ、Ａｙ）をその表示面の中央位置の方向として求め、前記ステレオカメラで得られた一対の画像から表示部１２の前記中央位置に関する視差を求め、この求めた視差から三角測量の原理によって表示部１２の前記中央位置までの距離（Ａｚ）を求め、これによって表示部１２の前記中央位置（Ａｘ、Ａｙ、Ａｚ）をその表示面の中央位置（Ａｘ、Ａｙ、Ａｚ）として求め、この求めた表示面の中央位置（Ａｘ、Ａｙ、Ａｚ）をＭＤｘＭＤｙＭＤｚ直交座標系の座標原点としてＡｘＡｙＡｚ直交座標系の座標原点（すなわち自機の位置）をＭＤｘＭＤｙＭＤｚ直交座標系の座標値に変換することで、表示装置ＤＰの表示面に対する自機の位置（ＭＤｘ、ＭＤｙ、ＭＤｚ）を測定する。また、位置測定部２５は、上述のステレオカメラを用いたステレオカメラ方式に代え、光切断法でも良い。
【００８０】
これら位置測定部２５および測色位置出力処理部２２２は、前記測色位置測定出力部の一例に相当する。
【００８１】
なお、第１変形形態において、好ましくは、表示領域を正確に測定するために、前記測色結果を得るために表示部１２の表示面に表示される色は、前記枠（ベゼル）における表示部１２の表示面側の表面と異なる色である。例えば、ベゼルの色が緑色であれば、表示色は、白色、赤色、青色など緑色を除く他の色である。このような表示システムＤＳは、前記測色結果を得るために前記表示面に表示される色が前記枠における前記表示部の表示面側の表面と異なる色であるので、２次元測色計ＭＤは、前記表示面に対する自機の位置をより高精度に測定できる。
【００８２】
また、第２変形態様では、表示装置ＤＰは、２次元測色計ＭＤの位置を前記測色位置として測定し、前記測色結果を得るために前記表示面に所定の色を表示する際に、前記測定した２次元測色計ＭＤの位置を表示する測色位置測定表示部をさらに備え、２次元測色計ＭＤは、表示部１２の表示面に表示された２次元測色計ＭＤの位置を前記測色位置として取得し、この取得した２次元測色計ＭＤの位置を対応付けて前記測定結果をＭＤＩＦ部２３から出力する測色位置取得出力部をさらに備える。このような表示システムＤＳは、表示装置ＤＰによって２次元測色計ＭＤの位置を前記測定位置として測定し、測定結果に測定位置を自動的に対応付けることができる。
【００８３】
より具体的には、この第２変形形態では、表示装置ＤＰは、センサ部１１によって２次元測色計ＭＤの位置を前記測色位置として測定し、例えば図２に破線で示すように、前記測色結果を得るために前記表示面に所定の色を表示する際に、前記測定した２次元測色計ＭＤの位置を表示する位置表示処理部１４５をさらに備える。
【００８４】
センサ部１１が上述したように複数の焦電素子を備えて構成される場合には、２次元測色計ＭＤの方向を前記複数の焦電素子で検出するために、２次元測色計ＭＤは、ＤＰ制御処理部１４に接続されＤＰ制御処理部１４の制御に従って熱を発する図略の発熱部をさらに備えることが好ましい。また、センサ部１１が上述したようにステレオカメラを備えて構成される場合には、センサ部１１は、前記ステレオカメラの一方で得られた画像から例えばエッジ検出等によって２次元測色計ＭＤを検出し、この検出した２次元測色計ＭＤの方向（ＭＤｘ、ＭＤｙ）を求め、前記ステレオカメラで得られた一対の画像から前記２次元測色計ＭＤに関する視差を求め、この求めた視差から三角測量の原理によって前記２次元測色計ＭＤまでの距離（ＭＤｚ）を求め、これによって２次元測色計ＭＤの位置ＰＭ（ＭＤｘ、ＭＤｙ、ＭＤｚ）を検出する。また、センサ部１１は、上述のステレオカメラを用いたステレオカメラ方式に代え、光切断法でも良い。
【００８５】
位置表示処理部１４５は、ＤＰ制御処理部１４に機能的に構成され、例えば図１１に示すように、前記測色結果を得るために前記表示面に所定の色を表示する際に、センサ部１１で測定した２次元測色計ＭＤの位置ＰＭ（ＭＤｘ、ＭＤｙ、ＭＤｚ）を表示する。図１１に示す例では、表示部１２には、２次元測色計ＭＤの位置ＰＭとして、ＭＤｘ＝７００、ＭＤｙ＝０、ＭＤｚ＝１０００が表示されている。また図１１には、２次元測色計ＭＤを表示部１２の表示面上に正射影した場合における２次元測色計ＭＤの影が破線で示されている。
【００８６】
これらセンサ部１１および位置表示処理部１４５は、前記測色位置測定表示部の一例に相当する。
【００８７】
一方、この第２変形形態では、２次元測色計ＭＤは、２次元測色部２１によって表示装置ＤＰの表示部１２の画像を取得し、例えば図１０に破線で示すように、２次元測色部２１によって取得した表示部１２の前記画像から、公知の文字認識技術によって、表示部１２の表示面に表示された２次元測色計ＭＤの位置を前記測色位置として取得し、この取得した２次元測色計ＭＤの位置を対応付けて前記測定結果をＭＤＩＦ部２３から出力する測色位置取得出力処理部２２３をさらに備える。２次元測色計ＭＤは、通常、上述のようにエリアイメージセンサを備えるので、単色であるが、表示部１２の画像を取得できる。測色位置取得出力処理部２２３は、ＭＤ制御処理部２２に機能的に構成される。
【００８８】
これら２次元測色部２１および測色位置取得出力処理部２２３は、前記測色位置取得出力部の一例に相当する。
【００８９】
また、第３変形形態では、２次元測色計ＭＤは、表示装置ＤＰの表示面に対する自機の位置が入力され、この入力された前記自機の位置を対応付けて前記測定結果をＭＤＩＦ部２３から出力する測色位置入力出力部をさらに備える。このような表示システムＤＳは、前記測定位置として前記自機の位置を手入力できる。
【００９０】
より具体的には、この第３変形形態では、２次元測色計ＭＤは、例えば図１０に破線で示すように、測色側入力部（ＭＤ入力部）２６と、入力測色位置出力処理部２２４とをさらに備える。
【００９１】
ＭＤ入力部２６は、ＭＤ制御処理部２２に接続され、表示装置ＤＰの表示面に対する自機の位置を前記測色位置として２次元測色計ＭＤに入力する装置であり、例えば、テンキーやキーボード等である。入力測色位置出力処理部２２４は、ＭＤ制御処理部２２に機能的に構成され、ＭＤ入力部２６から入力された前記自機の位置を対応付けて前記測定結果をＭＤＩＦ部２３から出力するものである。
【００９２】
これらＭＤ入力部２６および入力測色位置出力処理部２２４は、前記測色位置入力出力部の一例に相当する。
【００９３】
また、第４変形形態では、２次元測色計ＭＤは、前記表示面に対する互いに異なる複数の位置に配置された複数である。このような表示システムＤＳは、表示部１２の表示面に対する互いに異なる複数の位置に配置された複数の２次元測色計ＭＤを備えるので、１個の２次元測色計ＭＤを用いた前記測色情報の測定時間に較べてより短時間で前記測色情報を測定できる。
【００９４】
例えば、図１２に示すように、前記測色情報に含まれる第１から第５測色結果を得るために、５個の第１から第５の２次元測色計ＭＤ−１〜ＭＤ−５が用いられる。これら第１から第５の２次元測色計ＭＤ−１〜ＭＤ−５および表示装置ＤＰは、それぞれ、これら上述の第１から第３変形形態における各２次元測色計ＭＤおよび各表示装置ＤＰのうちのいずれかであり、これら第１から第５の２次元測色計ＭＤ−１〜ＭＤ−５と表示装置ＤＰとは、各ケーブルＣを介して互いに接続される。なお、これら第１から第５の２次元測色計ＭＤ−１〜ＭＤ−５と表示装置ＤＰとは、無線で接続されても良い。第１の２次元測色計ＭＤ−１は、第１測色位置ＰＭ１（０、０、１０００）に配置され、表示装置ＤＰの表示部１２を２次元で測色し、その第１測色結果を表示装置ＤＰへ出力する。第２の２次元測色計ＭＤ−２は、第２測色位置ＰＭ２（−７００、０、１０００）に配置され、表示装置ＤＰの表示部１２を２次元で測色し、その第２測色結果を表示装置ＤＰへ出力する。第３の２次元測色計ＭＤ−３は、第３測色位置ＰＭ３（７００、０、１５００）に配置され、表示装置ＤＰの表示部１２を２次元で測色し、その第３測色結果を表示装置ＤＰへ出力する。第４の２次元測色計ＭＤ−４は、第４測色位置ＰＭ４（−３５０、−５００、２０００）に配置され、表示装置ＤＰの表示部１２を２次元で測色し、その第４測色結果を表示装置ＤＰへ出力する。第５の２次元測色計ＭＤ−５は、第５測色位置ＰＭ５（３５０、５００、２０００）に配置され、表示装置ＤＰの表示部１２を２次元で測色し、その第５測色結果を表示装置ＤＰへ出力する。表示装置ＤＰは、第１から第５の２次元測色計ＭＤ−１〜ＭＤ−５それぞれから第１から第５測色結果を取得し、これら取得した第１から第５測色結果を前記測色情報として測色情報記憶部１５１に記憶する。
【００９５】
なお、上述では、５個の第１から第５測色位置ＰＭ１〜ＰＭ５に対し、５個の第１から第５の２次元測色計ＭＤ−１〜ＭＤ−５が用いられたが、これに限定されるものではなく、２次元測色計ＭＤは、２個以上であれば良い。
【００９６】
また、第４変形形態において、第２変形形態における表示装置ＤＰおよび２次元測色計ＭＤが用いられる場合には、２次元測色計ＭＤは、自機を特定し他の２次元測色装置ＭＤから識別するための識別子である測色計識別子（測色計ＩＤ）をＭＤ記憶部２４に予め記憶し、表示装置ＤＰのＤＰ記憶部１５には、２次元測色計ＭＤのおおよその位置と測色計ＩＤとを対応付けて予め記憶しておく。例えば、表示装置ＤＰのセンサ部１１における検出範囲が複数の領域に分割され、測色計ＩＤは、その該当する領域に割り付けて予め記憶される。そして、表示装置ＤＰは、２次元測色計ＭＤの位置を検出し、この検出した位置に対応する測色計ＩＤを選択し、前記検出した２次元測色計ＭＤの位置と前記選択した測色計ＩＤを表示し、２次元測色計ＭＤは、表示部１２の表示面に表示された２次元測色計ＭＤの前記位置をその測色位置として取得する際に、自機の測色計ＩＤに対応する２次元測色計ＭＤの前記位置を取得する。
【００９７】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００９８】
ＤＳ  表示システム
ＤＰ  表示装置
ＭＤ  ２次元測色計
１１  センサ部
１２  表示部
１３  温度センサ部
１４  表示側制御処理部（ＤＰ制御処理部）
１５  表示側記憶部（ＤＰ記憶部）
１６  表示側インターフェース部（ＤＰＩＦ部）
２１  ２次元測色部
２２  測色側制御処理部（ＭＤ制御処理部）
２３  測色側インターフェース部（ＭＤＩＦ部）
２５  位置測定部
１４２  表示調整部
１４３  映像信号生成部
１４４  測色情報記憶処理部
１４５  位置表示処理部
１５１  測色情報記憶部
２２２  測色位置出力処理部
２２３  測色位置取得出力処理部
２２４  入力測色位置出力処理部
【図１】
2017054069.tif 000003
【図２】
2017054069.tif 000004
【図３】
2017054069.tif 000005
【図４】
2017054069.tif 000006
【図５】
2017054069.tif 000007
【図６】
2017054069.tif 000008
【図７】
2017054069.tif 000009
【図８】
2017054069.tif 000010
【図９】
2017054069.tif 000011
【図１０】
2017054069.tif 000012
【図１１】
2017054069.tif 000013
【図１２】
2017054069.tif 000014